(57)【特許請求の範囲】
【請求項１】
地図生成装置と、通信端末と、複数の画像形成装置と、を備え、
前記通信端末は、目的地の入力を受け付け、前記目的地を示す目的地情報を前記地図生成装置へ送信し、
前記複数の画像形成装置のうち前記目的地へ至るルートを示す地図を印刷するための予め定められた地図印刷操作が行われた対象画像形成装置は、前記目的地情報を前記地図生成装置から取得することによって前記目的地情報で示される前記目的地を認識するとともに、前記目的地情報で示される前記目的地をルート検索の対象目的地として確定するための予め定められた確定操作の受け付けを行い、前記対象目的地が確定すると、前記対象目的地を示す対象目的地情報および前記対象画像形成装置の設置位置を示す設置位置情報を前記地図生成装置へ送信し、
前記地図生成装置は、前記対象目的地情報および前記設置位置情報を受信すると、前記対象画像形成装置の設置位置から前記対象目的地へ至るルートを示す第１地図の地図データを生成するとともに、前記第１地図の地図データを前記対象画像形成装置へ送信し、
前記対象画像形成装置は、前記第１地図の地図データを受信すると、前記第１地図を印刷し、
前記通信端末は、前記目的地情報を前記地図生成装置へ送信するとき、前記通信端末の現在地を示す現在地情報を前記地図生成装置へ送信し、
前記地図生成装置は、前記現在地情報を受信すると、前記通信端末の現在地から、前記複数の画像形成装置のうち前記通信端末の現在地から予め定められた距離範囲内の位置に設置された画像形成装置の設置位置へ至るルートを示す第２地図の地図データを生成するとともに、前記第２地図の地図データを前記通信端末へ送信し、
前記通信端末は、前記第２地図の地図データを受信すると、前記第２地図を表示し、
前記通信端末は、前記目的地情報を前記地図生成装置へ送信した後、前記目的地を追加するか否かを受け付け、前記目的地が追加されると、追加された前記目的地を示す前記目的地情報を前記地図生成装置へ送信し、
前記対象画像形成装置は、前記目的地が複数存在するとき、複数の前記目的地のうちから前記対象目的地を選択する操作を前記確定操作として受け付け、
前記地図生成装置は、前記対象目的地となり得る前記目的地が複数存在するとき、前記第１地図の地図データとして、前記対象画像形成装置の設置位置から、前記対象目的地を経由して、前記複数の画像形成装置のうち前記対象目的地から予め定められた距離範囲内の位置に設置された画像形成装置の設置位置へ至るルートを示す地図の地図データを生成することを特徴とする道案内システム。
【請求項２】
前記地図生成装置は、アクセスＩＤを生成し、前記アクセスＩＤを前記目的地情報と対応付けて記憶するとともに、前記アクセスＩＤを前記通信端末に通知し、
前記対象画像形成装置は、前記確定操作の受け付けに際して、前記アクセスＩＤの入力を受け付け、入力を受け付けた前記アクセスＩＤに対応する前記目的地情報を前記地図生成装置から取得し、取得した前記目的地情報で示される前記目的地を前記確定操作の対象として示すことを特徴とする請求項１に記載の道案内システム。
【請求項３】
前記地図生成装置は、前記複数の目的地のうち前記対象目的地として既に選択された前記目的地を示す前記目的地情報に既選択情報を付加し、
前記対象画像形成装置は、前記確定操作を受け付けるとき、前記既選択情報が付加された前記目的地情報で示される前記目的地については前記確定操作の対象として示さないことを特徴とする請求項１または２に記載の道案内システム。
【請求項４】
前記地図生成装置は、前記第１地図の地図データとして、示すルートが互いに異なる複数の地図の地図データを生成し、
前記対象画像形成装置は、前記確定操作を受け付けるとき、前記第１地図を表示するとともに、予め定められた切替操作を受け付けると、現在表示中の前記第１地図で示されるルートとは異なるルートが示された前記第１地図を表示することを特徴とする請求項１〜３のいずれか１項に記載の道案内システム。
【請求項５】
前記地図生成装置は、前記第２地図の地図データとして、前記通信端末の現在地から、前記予め定められた距離範囲内の位置に設置された前記画像形成装置のうち前記通信端末の現在地から最も近い位置に設置された画像形成装置の設置位置へ至るルートを示す地図の地図データを生成することを特徴とする請求項１〜４のいずれか１項に記載の道案内システム。
【請求項６】
前記地図生成装置は、前記目的地情報を受信すると、前記目的地情報で示される前記目的地の周辺地図の地図データを生成するとともに、前記周辺地図の地図データを前記通信端末へ送信し、
前記通信端末は、前記周辺地図の地図データを受信すると、前記周辺地図を表示し、前記周辺地図で示される前記目的地をルート検索の対象として設定するか否かを受け付けることを特徴とする請求項１〜５のいずれか１項に記載の道案内システム。
【発明の詳細な説明】
【技術分野】
【０００１】
本発明は、画像形成装置にて地図を印刷して道案内を行う道案内システムに関する。
【背景技術】
【０００２】
従来、本体装置に目的地を入力すると、本体装置の設置位置から目的地へ至るルートを示す地図が印刷される道案内装置が知られている（たとえば、特許文献１参照）。
【０００３】
特許文献１の道案内装置は、操作部、記憶装置および画像形成装置（プリンター）などを本体装置に組み込んだものである。操作部は、目的地の入力を受け付け、記憶装置は、本体装置の設置位置を記憶する。画像形成装置は、道案内用の地図を印刷する。そして、特許文献１では、記憶装置に本体装置の設置位置が記憶されているので、操作部に対して目的地を入力するだけで、本体装置の設置位置から目的地へ至るルートを示す道案内用の地図が画像形成装置によって印刷される。
【先行技術文献】
【特許文献】
【０００４】
【特許文献１】特開２００５−１１５２７７号公報
【発明の概要】
【発明が解決しようとする課題】
【０００５】
たとえば、スマートフォンなどの携帯端末にルート検索アプリケーションを予めインストールしておけば、道案内を依頼しなくても、所望の目的地へ到達することができる。しかし、携帯端末を持っていない場合には、他者に道案内を依頼しなければならない。
【０００６】
ここで、道案内の依頼を受けた者（案内者）の事情により、道案内を依頼した者（被案内者）を被案内者が所望する目的地まで案内できないことがある。この場合、近くに画像形成装置の設置施設が存在すれば、その施設の画像形成装置にて、所望の目的地までのルートを示す道案内用の地図を印刷することができる。したがって、案内者は、被案内者を所望の目的地まで案内しなくてもよい（画像形成装置の設置施設まで案内すればよい）。
【０００７】
しかし、画像形成装置の設置施設の場所を案内者が分かっていなければ、案内者は他者に道を尋ねるなどしつつ、被案内者を画像形成装置の設置施設まで案内しなければならない。このため、案内者にとっては手間である。
【０００８】
本発明は、上記課題を解決するためになされたものであり、道案内の手間を省くことが可能な道案内システムを提供することを目的とする。
【課題を解決するための手段】
【０００９】
上記目的を達成するため、本発明の道案内システムは、地図生成装置と、通信端末と、複数の画像形成装置と、を備える。通信端末は、目的地の入力を受け付け、目的地を示す目的地情報を地図生成装置へ送信する。複数の画像形成装置のうち目的地へ至るルートを示す地図を印刷するための予め定められた地図印刷操作が行われた対象画像形成装置は、目的地情報を地図生成装置から取得することによって目的地情報で示される目的地を認識するとともに、目的地情報で示される目的地をルート検索の対象目的地として確定するための予め定められた確定選択操作の受け付けを行い、対象目的地が確定すると、対象目的地を示す対象目的地情報および対象画像形成装置の設置位置を示す設置位置情報を地図生成装置へ送信する。地図生成装置は、対象目的地情報および設置位置情報を受信すると、対象画像形成装置の設置位置から対象目的地へ至るルートを示す第１地図の地図データを生成するとともに、第１地図の地図データを対象画像形成装置へ送信する。対象画像形成装置は、第１地図の地図データを受信すると、第１地図を印刷する。また、通信端末は、目的地情報を地図生成装置へ送信するとき、通信端末の現在地を示す現在地情報を地図生成装置へ送信する。地図生成装置は、現在地情報を受信すると、通信端末の現在地から、複数の画像形成装置のうち通信端末の現在地から予め定められた距離範囲内の位置に設置された画像形成装置の設置位置へ至るルートを示す第２地図の地図データを生成するとともに、第２地図の地図データを通信端末へ送信する。通信端末は、第２地図の地図データを受信すると、第２地図を表示する。
【００１０】
本発明の構成では、通信端末に目的地を入力すれば、道案内システムに含まれる画像形成装置に第１地図を印刷させることが可能となる。このため、道案内の依頼を受けたときには、被案内者が所望する目的地を通信端末に入力してから、道案内システムに含まれる画像形成装置の設置施設まで被案内者を案内し、その施設で第１地図を印刷するよう被案内者に促すだけでよくなる（案内者は被案内者を所望の目的地まで案内しなくてもよくなる）。また、通信端末に目的地を入力すると、通信端末に第２地図が表示されるので、画像形成装置の設置施設の場所を案内者が分かっていなくても、他者に道を尋ねるなどすることなく、案内者は被案内者を画像形成装置の設置施設まで案内することができる。これらの結果、道案内の手間を省くことができる。
【発明の効果】
【００１１】
本発明の構成では、道案内の手間を省くことができる。
【図面の簡単な説明】
【００１２】
【図１】本発明の一実施形態による道案内システムの概略図
【図２】本発明の一実施形態による道案内システム内の各装置のハードウェア構成を示す図
【図３】本発明の一実施形態による道案内システム内の通信端末に第２地図を表示するときの処理の流れを説明するためのフローチャート
【図４】本発明の一実施形態による道案内システム内の通信端末に第２地図を表示するときの処理の流れを説明するためのフローチャート
【図５】本発明の一実施形態による道案内システム内の通信端末に表示される目的地入力画面を示す図
【図６】本発明の一実施形態による道案内システム内の通信端末に表示される目的地入力画面を示す図（目的地を追加するか否かを受け付けるときの図）
【図７】本発明の一実施形態による道案内システム内の通信端末に表示される目的地入力画面を示す図（目的地の追加入力を受け付けるときの図）
【図８】本発明の一実施形態による道案内システム内の通信端末に表示される地図画面を示す図（第２地図を表示したときの図）
【図９】本発明の一実施形態による道案内システム内の通信端末に第２地図を表示するときの処理（第２地図の地図データを生成するときの処理）の流れを説明するためのフローチャート
【図１０】本発明の一実施形態による道案内システム内の複合機で第１地図を印刷するときの処理の流れを説明するためのフローチャート
【図１１】本発明の一実施形態による道案内システム内の複合機に表示されるＩＤ入力画面を示す図
【図１２】本発明の一実施形態による道案内システム内の複合機に表示される目的地選択画面を示す図（目的地が１つの場合の図）
【図１３】本発明の一実施形態による道案内システム内の複合機に表示される目的地選択画面を示す図（目的地が複数の場合の図）
【図１４】本発明の一実施形態による道案内システム内の複合機で第１地図を印刷するときの処理（第１地図の地図データを生成するときの処理）の流れを説明するためのフローチャート
【図１５】本発明の一実施形態による道案内システム内の複合機で印刷される第１地図を示す図（目的地が１つの場合の図）
【図１６】本発明の一実施形態による道案内システム内の複合機で印刷される第１地図を示す図（目的地が複数の場合の図）
【図１７】本発明の一実施形態による道案内システム内の複合機に表示される目的地選択画面を示す図（既選択の目的地が操作対象外となった場合の図）
【図１８】本発明の一実施形態による道案内システム内の複合機に第１地図が表示されているときに切替操作を行った場合の図
【発明を実施するための形態】
【００１３】
＜道案内システムの概要＞
図１に示すように、本実施形態の道案内システムＳは、地図生成装置１００と、通信端末２００と、複合機３００とを備える。なお、複合機３００は「画像形成装置」に相当する。地図生成装置１００、通信端末２００および複合機３００は、インターネットなどのネットワークＮＴを介して、互いに通信可能に接続される。
【００１４】
地図生成装置１００は、サーバーなどのコンピューターによって構成され、道案内サービスの提供者によって管理される。この地図生成装置１００は、ルート検索を行うとともに、適切なルートを示す地図（道案内用の地図）の地図データを生成する。そして、地図生成装置１００は、道案内用の地図の地図データを通信端末２００や複合機３００へ送信する。
【００１５】
通信端末２００は、たとえば、携帯電話やスマートフォン、タブレット型端末などの携帯通信端末である。あるいは、通信端末２００は、道案内の案内者になり得る者が居る施設（たとえば、警察署など）に設置される据置型パーソナルコンピューターなどの固定通信端末である。この通信端末２００は、地図生成装置１００との間で各種データを送受信する。たとえば、通信端末２００は、地図生成装置１００にて行われるルート検索や地図データの生成に必要な位置情報（目的地を示す目的地情報や通信端末２００の現在地を示す現在地情報）を地図生成装置１００へ送信する（詳細は後述する）。
【００１６】
複合機３００は、コンビニエンスストアやスーパーマーケットなど、一般向けに印刷サービスを提供する施設に設置される。この複合機３００は、地図生成装置１００との間で各種データを送受信する。たとえば、複合機３００は、地図生成装置１００にて行われるルート検索や地図データの生成に必要な位置情報（複合機３００の設置位置を示す設置位置情報）を地図生成装置１００へ送信する（詳細は後述する）。なお、道案内システムＳに含まれる複合機３００は複数存在する。
【００１７】
＜道案内システムを構成する各装置の構成＞
図２に示すように、地図生成装置１００は、制御部１１０、記憶部１２０および通信部１３０を備える。制御部１１０は、地図データ生成部１１１、アクセスＩＤ生成部１１２およびアクセスＩＤ認証部１１３を含む。地図データ生成部１１１は、ルート検索を行うとともに、適切なルートを示す地図の地図データを生成する。
【００１８】
アクセスＩＤ生成部１１２は、アクセスＩＤを生成する。アクセスＩＤ生成部１１２により生成されるアクセスＩＤは、通信端末２００へ通知される。そして、道案内システムＳに含まれる複合機３００にアクセスＩＤを入力することにより、当該複合機３００での道案内用の地図の印刷出力が可能となる。アクセスＩＤ認証部１１３は、道案内システムＳに含まれる複合機３００に入力されたアクセスＩＤの認証を行う。
【００１９】
記憶部１２０は、地図生成装置１００の制御を行うためのプログラムやデータを記憶する。そして、制御部１１０は、記憶部１２０に記憶されたプログラムやデータに基づき、地図生成装置１００の制御を行う。
【００２０】
たとえば、記憶部１２０は、ルート検索や地図データの生成に必要な目的地情報を記憶する。なお、目的地情報というのは、通信端末２００に入力された目的地を示す情報であり、通信端末２００から地図生成装置１００へ送信される情報である。そして、この目的地情報は、アクセスＩＤ生成部１１２が生成したアクセスＩＤと対応付けて記憶される。また、記憶部１２０は、道案内サービスに関するＷｅｂページのページデータを予め記憶する。
【００２１】
通信部１３０は、ネットワークＮＴに接続される。そして、通信部１３０は、ネットワークＮＴを介して通信端末２００と通信することにより、通信端末２００との間で各種データを送受信する。また、通信部１３０は、ネットワークＮＴを介して複合機３００と通信することにより、複合機３００との間で各種データを送受信する。
【００２２】
たとえば、通信部１３０は、通信端末２００や複合機３００へ地図データを送信することにより、地図の表示を通信端末２００に行わせたり、地図の印刷を複合機３００に行わせたりする。また、通信部１３０は、通信端末２００や複合機３００へ道案内サービスに関するＷｅｂページのページデータを送信することにより、通信端末２００や複合機３００に道案内システムに関する画面の表示を行わせる。
【００２３】
通信端末２００は、端末制御部２１０、端末操作部２２０、端末記憶部２３０および端末通信部２４０を備える。
【００２４】
端末制御部２１０は、通信端末２００の全体制御を行う。端末操作部２２０は、タッチパネルディスプレイなどの表示部を含み、たとえば、道案内サービスに関するＷｅｂページを表示する。そして、端末操作部２２０は、道案内サービスに関する各種設定（目的地の入力など）を受け付ける。
【００２５】
端末記憶部２３０は、通信端末２００の制御を行うためのプログラムやデータを記憶する。たとえば、端末記憶部２３０には、道案内サービスを利用するためのアプリケーションＡＰ１（以下、アプリＡＰ１）が記憶される。このアプリＡＰ１を起動することによって、通信端末２００での道案内サービスの利用が可能となる。
【００２６】
端末通信部２４０は、ネットワークＮＴを介して地図生成装置１００と通信可能に接続される。そして、端末通信部２４０は、地図生成装置１００との間で各種データを送受信する。たとえば、端末通信部２４０は、アプリＡＰ１が起動すると、地図生成装置１００にアクセスし、道案内サービスに関するＷｅｂページのページデータを地図生成装置１００から取得（受信）する。これにより、道案内サービスに関するＷｅｂページが端末操作部２２０に表示される。
【００２７】
複合機３００は、複合機制御部３１０、複合機操作部３２０（操作パネル）、複合機記憶部３３０および複合機通信部３４０を備える。複合機制御部３１０は、印刷部３１１および読取部３１２と接続され、それらの動作を制御する。なお、印刷部３１１は、用紙に画像（たとえば、地図の画像）を印刷して出力する。読取部３１２は、原稿を読み取って原稿の画像データを生成する。
【００２８】
複合機操作部３２０は、タッチパネルディスプレイなどの表示部を含む。たとえば、複合機操作部３２０は、道案内サービスに関するＷｅｂページを表示する。そして、複合機操作部３２０は、道案内用の地図を印刷するための各種操作（後述する地図印刷操作や確定操作など）を受け付ける。後で詳説するが、複合機操作部３２０は、地図生成装置１００へのアクセスを開始するためのソフトキーであるアクセスキーを表示する（アクセスキーに相当するハードキーが複合機操作部３２０に設けられてもよい）。そして、複合機操作部３２０は、アクセスキーに対する操作を受けて、地図を印刷するための各種操作を受け付けるための画面を表示する。
【００２９】
複合機記憶部３３０は、複合機３００の制御を行うためのプログラムやデータを記憶する。また、複合機記憶部３３０には、道案内サービスを利用するためのアプリケーションＡＰ２（以下、アプリＡＰ２）が記憶される。このアプリＡＰ２は、複合機操作部３２０に対する操作（アクセスキーに対する操作）によって起動する。そして、アプリＡＰ２が起動することによって、地図を印刷するための各種操作を受け付けるための画面が複合機操作部３２０に表示される。また、複合機記憶部３３０は、自機（複合機３００）の設置位置を示す設置位置情報を予め記憶する。
【００３０】
複合機通信部３４０は、ネットワークＮＴを介して地図生成装置１００と通信可能に接続される。そして、複合機通信部３４０は、地図生成装置１００との間で各種データを送受信する。たとえば、複合機通信部３４０は、アプリＡＰ２が起動すると、地図生成装置１００と通信し、道案内サービスに関するＷｅｂページのページデータを地図生成装置１００から取得（受信）する。これにより、道案内サービスに関するＷｅｂページが複合機操作部３２０に表示される。
【００３１】
＜地図の表示および印刷＞
道案内の依頼を受けた場合、道案内を行う案内者の事情により、道案内を依頼した被案内者を被案内者が所望する目的地まで案内できないことがある。この場合、被案内者を画像形成装置が設置された施設まで案内し、画像形成装置の設置施設にて案内ルートが示された地図（画像形成装置の設置位置から所望の目的地へ至るルートが示された地図）を印刷してもらえば、被案内者を所望の目的地まで案内しなくても、被案内者を所望の目的地へ到達させることができる。
【００３２】
そこで、本実施形態では、道案内システムＳに含まれる複合機３００の設置位置から、被案内者が所望する目的地へ至るルートを示す地図（以下、第１地図と称する）の地図データを生成し、複合機３００に第１地図を印刷させる。さらに、案内者が所有する通信端末２００の現在地から、道案内システムＳに含まれる複合機３００の設置位置へ至るルートを示す地図（以下、第２地図と称する）の地図データを生成し、案内者の通信端末２００に第２地図を表示させる。
【００３３】
（第２地図を表示するときの処理の流れ）
まず、図３および図４に示すフローチャートを参照し、案内者の通信端末２００にて行われる処理の流れについて説明する。図３および図４に示すフローチャートは、案内者の通信端末２００にインストールされたアプリＡＰ１が起動したときにスタートする。以下の説明では、案内者の通信端末２００を単に通信端末２００と称する。
【００３４】
ステップＳ１において、通信端末２００は、地図生成装置１００にアクセスし、道案内サービスに関するＷｅｂページのページデータを地図生成装置１００から取得する。そして、ステップＳ２において、通信端末２００は、図５に示すような目的地入力画面２０１を表示し、所望の目的地の入力を受け付ける。この目的地入力画面２０１には、目的地検索欄２１、検索結果欄２２および目的地設定キー２３などが配される。
【００３５】
ステップＳ３において、通信端末２００は、所望の目的地を検索するための目的地検索情報が目的地入力画面２０１の目的地検索欄２１に入力されたか否かを判断する。その結果、目的地検索情報が入力されたと通信端末２００が判断した場合には、ステップＳ４に移行する。一方で、目的地検索情報が入力されていないと通信端末２００が判断した場合には、ステップＳ３の判断が繰り返される。
【００３６】
なお、目的地入力画面２０１の目的地検索欄２１への目的地検索情報の入力は、手入力によって行われてもよいが、音声入力によって行われてもよい。
【００３７】
ステップＳ４に移行すると、通信端末２００は、目的地検索情報に対応する目的地を検索する。このとき、通信端末２００は、たとえば、目的地検索情報に対応する目的地の検索に必要なデータを格納するデータベースへアクセスし、目的地の検索を行う。続いて、ステップＳ５において、通信端末２００は、検索した目的地を目的地候補として目的地入力画面２０１の検索結果欄２２に表示する。たとえば、目的地候補は複数表示される。
【００３８】
ステップＳ６において、通信端末２００は、所望の目的地を選択するための選択操作の受け付けを行う。なお、通信端末２００は、複数の目的地候補のうちいずれかの表示領域をタッチする操作を選択操作として受け付ける。たとえば、図５に示す例において、所望の目的地として「府立○×公園」を選択したい場合には、「府立○×公園」という文字列の表示領域をタッチすればよい。
【００３９】
ステップＳ７において、通信端末２００は、目的地入力画面２０１にて選択された目的地を示す目的地情報を地図生成装置１００へ送信する。このとき、通信端末２００は、自機の現在地を示す現在地情報も地図生成装置１００へ送信する。たとえば、通信端末２００は、ＧＰＳ（Ｇｌｏｂａｌ  Ｐｏｓｉｔｉｏｎｉｎｇ  Ｓｙｓｔｅｍ）機能を用いて、自機の現在地を認識する。
【００４０】
ステップＳ８において、通信端末２００は、目的地情報で示される目的地（目的地入力画面２０１にて選択された目的地）の周辺地図の地図データを地図生成装置１００から取得する。そして、ステップＳ９において、通信端末２００は、周辺地図を目的地入力画面２０１の地図表示領域２４に表示する（図５参照）。これにより、目的地入力画面２０１にて選択した目的地を地図上で確認することができる。
【００４１】
ステップＳ１０において、通信端末２００は、目的地入力画面２０１の目的地設定キー２３に対するタッチ操作が行われたか否かを判断する。その結果、目的地設定キー２３に対するタッチ操作が行われたと通信端末２００が判断した場合には、ステップＳ１１に移行する。なお、目的地設定キー２３に対するタッチ操作が行われたということは、周辺地図で示された目的地が所望の目的地であったということであり、周辺地図で示された目的地がルート検索の対象として設定されたということである。
【００４２】
一方で、目的地設定キー２３に対するタッチ操作が行われていないと通信端末２００が判断した場合には、ステップＳ１２に移行する。そして、通信端末２００は、所望の目的地を選択するための選択操作が新たに行われたか否かを判断する。その結果、選択操作が新たに行われたと通信端末２００が判断した場合には、ステップＳ７に戻り、選択操作が新たに行われていないと通信端末２００が判断した場合には、ステップＳ１０に戻る。なお、選択操作が新たに行われたということは、周辺地図で示された目的地が所望の目的地ではなかったということである。
【００４３】
ステップＳ１０からステップＳ１１に移行した場合、通信端末２００は、目的地を追加する旨を受け付けたか否かを判断する。たとえば、通信端末２００は、図６に示すようなダイアログボックスＤＢをポップアップ形式で表示する。ダイアログボックスＤＢには、追加キー２５および終了キー２６が配される。追加キー２５は、目的地を追加する旨（目的地の入力を続ける旨）を受け付けるためのキーである。終了キー２６は、目的地の入力を終了する旨を受け付けるためのキーである。
【００４４】
そして、通信端末２００は、追加キー２５に対する操作が行われると、目的地を追加する旨を受け付けたと判断する。この場合には、ステップＳ３に戻る。一方で、通信端末２００は、終了キー２６に対する操作が行われると、目的地を追加しない旨を受け付けたと判断する。この場合には、ステップＳ１３に移行する。
【００４５】
ステップＳ１１からステップＳ３に戻った場合、通信端末２００は、ダイアログボックスＤＢを非表示とする。そして、通信端末２００は、目的地入力画面２０１として、設定済みの目的地の一覧２７が追加された画面を表示する（図７参照）。また、通信端末２００は、追加の目的地を示す目的地情報を地図生成装置１００へ送信するとき、当該目的地情報が追加の目的地情報であることを示す情報を付加する。
【００４６】
ステップＳ１１からステップＳ１３に移行した場合、通信端末２００は、第２地図の地図データを地図生成装置１００から取得する。このとき、通信端末２００は、アクセスＩＤも地図生成装置１００から取得する。そして、ステップＳ１４において、通信端末２００は、図８に示すような地図画面２０２を表示する。地図画面２０２のＩＤ表示領域２８には、アクセスＩＤが表示され、地図画面２０２の地図表示領域２９には、第２地図が表示される。
【００４７】
次に、図９に示すフローチャートを参照し、地図生成装置１００にて行われる処理の流れについて説明する。図９に示すフローチャートは、地図生成装置１００が通信端末２００からアクセスを受けたときにスタートする。
【００４８】
ステップＳ２１において、地図生成装置１００は、道案内サービスに関するＷｅｂページのページデータを通信端末２００へ送信する。また、ステップＳ２２において、地図生成装置１００は、アクセスＩＤを生成する。
【００４９】
ステップＳ２３において、地図生成装置１００は、目的地情報および現在地情報を通信端末２００から取得する。そして、ステップＳ２４において、地図生成装置１００は、目的地情報に基づき、目的地の周辺地図の地図データを生成する。その後、ステップＳ２５において、地図生成装置１００は、周辺地図の地図データを通信端末２００へ送信する。
【００５０】
ステップＳ２６において、地図生成装置１００は、周辺地図で示された目的地がルート検索の対象として設定されたか否かを判断する。たとえば、周辺地図で示された目的地がルート検索の対象として設定されると、その旨の通知が通信端末２００から地図生成装置１００へ送信されるので、当該通知に基づき、周辺地図で示された目的地がルート検索の対象として設定されたか否かの判断を行える。ここでの判断の結果、周辺地図で示された目的地がルート検索の対象として設定された場合には、ステップＳ２７に移行し、周辺地図で示された目的地がルート検索の対象として設定されていない場合には、ステップＳ２８に移行する。
【００５１】
ステップＳ２６からステップＳ２７に移行した場合、地図生成装置１００は、目的地情報（ステップＳ２３で取得した目的地情報）とアクセスＩＤ（ステップＳ２２で生成したアクセスＩＤ）とを対応付けて記憶する。そして、ステップＳ２９に移行する。
【００５２】
ステップＳ２６からステップＳ２８に移行した場合、地図生成装置１００は、目的地情報を新たに受信したか否かを判断する。その結果、目的地情報を新たに受信したと地図生成装置１００が判断した場合には、ステップＳ２４に戻る。この場合、地図生成装置１００は、新たに受信した目的地情報で示される目的地の周辺地図の地図データを生成する。一方で、目的地情報を新たに受信していないと地図生成装置１００が判断した場合には、ステップＳ２６に戻る。
【００５３】
ステップＳ２７からステップＳ２９に移行すると、地図生成装置１００は、追加の目的地情報を受信したか否か（目的地が追加されたか否か）を判断する。この結果、追加の目的地情報を受信したと地図生成装置１００が判断した場合には、ステップＳ２４に戻る。この場合、地図生成装置１００は、追加の目的地情報で示される目的地の周辺地図の地図データを生成する。また、地図生成装置１００は、追加の目的地情報で示される目的地がルート検索の対象として設定されると、追加の目的地情報とアクセスＩＤ（ステップＳ２２で生成したアクセスＩＤ）とを対応付けて記憶する。すなわち、この場合には、既存の目的地情報と追加の目的地情報とが同一のアクセスＩＤに対応付けられる（複数の目的地情報が同一のアクセスＩＤに対応付けられる）。
【００５４】
また、ステップＳ２９において、追加の目的地情報を受信していないと地図生成装置１００が判断した場合には、ステップＳ３０に移行する。ステップＳ３０に移行すると、地図生成装置１００は、目的地の入力が終了したか否かを判断する。なお、目的地の入力が終了すると、その旨の通知（終了通知）が通信端末２００から地図生成装置１００へ送信される。たとえば、通信端末２００は、目的地入力画面２０１にポップアップ表示したダイアログボックスＤＢの終了キー２６に対するタッチ操作を受けると、終了通知を地図生成装置１００へ送信する。
【００５５】
したがって、地図生成装置１００は、通信端末２００から終了通知を受信すれば、目的地の入力が終了したと判断する。この場合には、ステップＳ３１に移行する。一方で、地図生成装置１００は、通信端末２００から終了通知を受信しなければ、目的地の入力が終了していないと判断する。この場合には、ステップＳ２９に戻る。
【００５６】
ステップＳ３１に移行すると、地図生成装置１００は、第２地図の地図データを生成する。このとき、地図生成装置１００は、第２地図の地図データとして、通信端末２００の現在地から、道案内システムＳに含まれる複数の複合機３００のうち通信端末２００の現在地から予め定められた距離範囲内の位置に設置された複合機３００の設置位置へ至るルートを示す地図の地図データを生成する。
【００５７】
たとえば、地図生成装置１００は、予め定められた距離範囲内の位置に設置された複合機３００のうち、通信端末２００の現在地から最も近い位置に設置された複合機３００を選択する。そして、地図生成装置１００は、第２地図の地図データとして、通信端末２００の現在地から、前記選択した複合機３００の設置位置へ至るルートを示す地図の地図データを生成する。
【００５８】
あるいは、地図生成装置１００は、第２地図の地図データとして、予め定められた距離範囲内に設置された複合機３００のうち、所定条件を満たす複合機３００を選択する。そして、地図生成装置１００は、通信端末２００の現在地から、前記選択した複合機３００の設置位置へ至るルートを示す地図の地図データを生成する。この場合には、たとえば、所望の施設名（ブランド名）を有する施設に設置された複合機３００が選択されるよう所定条件を定めることができる。
【００５９】
第２地図の地図データの生成後、ステップＳ３２において、地図生成装置１００は、第２地図の地図データを通信端末２００へ送信する。このとき、地図生成装置１００は、アクセスＩＤも通信端末２００へ送信する。
【００６０】
（第１地図を印刷するときの処理の流れ）
まず、図１０に示すフローチャートを参照し、第１地図を印刷する複合機３００にて行われる処理の流れについて説明する。図１０に示すフローチャートのスタートは、道案内システムＳに含まれる複数の複合機３００のうちいずれかの複合機３００に対して、第１地図を印刷するための操作として予め定められた地図印刷操作が行われたときである。
【００６１】
たとえば、道案内システムＳに含まれる複数の複合機３００は、それぞれ、地図生成装置１００にアクセスするためのソフトキーであるアクセスキーを表示する。そして、複合機３００は、アクセスキーに対するタッチ操作を地図印刷操作として受け付ける。あるいは、アクセスキーに相当するハードキーを複合機３００（複合機操作部３２０）に設けてもよい。以下の説明では、道案内システムＳに含まれる複数の複合機３００のうち地図印刷操作が行われた複合機３００を対象複合機３００と称する。
【００６２】
ステップＳ４１において、対象複合機３００は、図１１に示すようなＩＤ入力画面３０１を表示する（複合機操作部３２０がＩＤ入力画面３０１を表示する）。そして、対象複合機３００は、アクセスＩＤの入力を受け付ける。このＩＤ入力画面３０１には、ＩＤ入力欄３１およびログインキー３２が配される。
【００６３】
また、ＩＤ入力画面３０１には、言語切替キー３３が配される。対象複合機３００は、言語切替キー３３に対する操作を受けると、複合機操作部３２０の表示言語を現在設定されている言語から別の言語へ切り替える。たとえば、図１１に示したＩＤ入力画面３０１（表示言語が日本語の画面）の言語切替キー３３をタッチすると、表示言語が日本語から英語に切り替わる。
【００６４】
ステップＳ４２において、対象複合機３００は、ＩＤ入力画面３０１に入力されたアクセスＩＤを地図生成装置１００へ送信する。なお、アクセスＩＤはＩＤ入力欄３１に入力される。そして、ログインキー３２に対して操作を行うと、ＩＤ入力欄３１に入力したアクセスＩＤが地図生成装置１００へ送信される。
【００６５】
ステップＳ４３において、対象複合機３００は、ＩＤ入力画面３０１に入力されたアクセスＩＤに対応する目的地情報を地図生成装置１００から取得し、目的地情報で示される目的地を認識する。ステップＳ４４において、対象複合機３００は、図１２および図１３に示すような目的地選択画面３０２を表示する。この目的地選択画面３０２には、目的地表示欄３４および印刷キー３５が配される。
【００６６】
目的地表示欄３４には、アクセスＩＤに対応する目的地情報で示される目的地が表示される。目的地が１つだけの場合（目的地が追加されなかった場合）には、図１２に示すように、目的地表示欄３４には目的地が１つだけ表示される。一方で、複数の目的地が存在する場合（目的地が追加された場合）には、図１３に示すように、複数の目的地の一覧が表示される。この場合、たとえば、複数の目的地には通し番号が付され、対象複合機３００の設置位置から近い順に並べられる。
【００６７】
図１３では、一例として、目的地が３つ存在する場合の一覧表を示す。この例では、対象複合機３００の設置位置に対して、目的地１が最も近く、目的地２が２番目に近く、目的地３が最も遠いということである。
【００６８】
ここで、目的地選択画面３０２は、アクセスＩＤに対応する目的地情報で示される目的地（目的地表示欄３４に表示された目的地）をルート検索の対象目的地として確定するための予め定められた確定操作を受け付けるための画面である。すなわち、対象複合機３００は、目的地選択画面３０２を表示することによって確定操作を受け付ける。
【００６９】
対象複合機３００は、目的地表示欄３４の目的地をタッチしてから印刷キー３５をタッチする操作を確定操作として受け付ける。図１２に示す例では、目的地が１つしかないので、当該目的地をタッチしてから印刷キー３５をタッチすればよい。一方で、図１３に示す例では、複数の目的地のうちから対象目的地が選択される。たとえば、目的地１を対象目的地として選択したい場合には、目的地１をタッチしてから印刷キー３５をタッチすればよい。なお、目的地表示欄３４の目的地をタッチすると、当該タッチした目的地の表示形態が変化してもよい（たとえば、表示色が変化する）。
【００７０】
ステップＳ４５において、対象複合機３００は、対象目的地が確定したか否か（確定操作が行われたか否か）を判断する。その結果、対象目的地が確定した場合には、ステップＳ４６に移行し、対象目的地が確定していない場合には、ステップＳ４５の判断が繰り返される。
【００７１】
ステップＳ４６に移行すると、対象複合機３００は、対象目的地を示す対象目的地情報を地図生成装置１００へ送信する。このとき、対象複合機３００は、自機の設置位置を示す設置位置情報も地図生成装置１００へ送信する。その後、ステップＳ４７において、対象複合機３００は、地図生成装置１００から第１地図の地図データを取得する。そして、ステップＳ４８において、対象複合機３００は、第１地図を印刷する。
【００７２】
なお、第１地図が印刷される用紙に案内者（携帯端末２００の所有者）の個人情報（名前やニックネームなど）が印刷されるよう構成してもよい。この場合には、たとえば、携帯端末２００にて案内者の個人情報の入力受付が行われ、通信端末２００から地図生成装置１００への目的地情報の送信時に個人情報も送信される。そして、地図生成装置１００において、個人情報を含む第１地図の地図データが生成される。
【００７３】
次に、図１４に示すフローチャートを参照し、地図生成装置１００にて行われる処理の流れについて説明する。図１４に示すフローチャートは、地図生成装置１００が対象複合機３００からアクセスＩＤを受信したときにスタートする。
【００７４】
ステップＳ５１において、地図生成装置１００は、対象複合機３００から受信したアクセスＩＤを確認し、当該確認したアクセスＩＤに対応する目的地情報を対象複合機３００へ送信する。その後、ステップＳ５２において、地図生成装置１００は、対象目的地を示す対象目的地情報を対象複合機３００から取得する。このとき、地図生成装置１００は、対象複合機３００の設置位置を示す設置位置情報も対象複合機３００から取得する。
【００７５】
ステップＳ５３において、地図生成装置１００は、対象複合機３００から受信したアクセスＩＤに対応する目的地情報が複数存在するか否かを判断する。この判断の結果、目的地情報が１つだけの場合には、ステップＳ５４に移行し、目的地情報が複数存在する場合には、ステップＳ５５に移行する。
【００７６】
ステップＳ５４に移行した場合、地図生成装置１００は、ルートＡを示す第１地図の地図データを生成する。ルートＡは、対象複合機３００の設置位置から対象目的地へ至るルートである。この第１地図の地図データの一例を図１５に示す。
【００７７】
ステップＳ５５に移行した場合、地図生成装置１００は、ルートＢを示す第１地図の地図データを生成する。ルートＢは、対象複合機３００の設置位置から、対象目的地を経由して、道案内システムＳに含まれる複数の複合機３００のうち対象目的地から予め定められた距離範囲内の位置に設置された複合機３００（たとえば、対象目的地の最も近くに設置された複合機３００）の設置位置へ至るルートである。この第１地図の一例を図１６に示す。
【００７８】
第１地図の地図データの生成後、ステップＳ５６において、地図生成装置１００は、第１地図の地図データを対象複合機３００へ送信する。
【００７９】
ここで、目的地が複数存在する場合には、ルートＢを示す第１地図（図１６参照）が印刷される。このため、被案内者は、道案内を依頼することなく、先の目的地から、先の目的地の近くに設置された複合機３００の設置位置（当該複合機３００が設置された施設）へ到達することができる。そして、当該複合機３００にて次の目的地へ至るルートを示す第１地図を印刷することができる。
【００８０】
当該複合機３００にて次の目的地へ至るルートを示す第１地図を印刷したい場合には、当該複合機３００に対して地図印刷操作を行う（当該複合機３００が新たな対象複合機３００となる）。そして、新たな対象複合機３００に対して、先の目的地へ至るルートを示す第１地図を印刷したときに用いたアクセスＩＤと同じアクセスＩＤを入力する。これにより、図１７に示すような目的地選択画面３０２が対象複合機３００に表示される。
【００８１】
このときに表示される目的地選択画面３０２（図１７参照）は、先の目的地へ至るルートを示す第１地図を印刷するときに表示された目的地選択画面３０２（図１３参照）と略同じであり、対象目的地を確定するための画面（確定操作を受け付けるための画面）である。すなわち、たとえば、次の目的地として目的地２を選択したい場合には、目的地２をタッチしてから印刷キー３５をタッチすれば、新たな対象複合機３００から目的地２へ至るルートを示す第１地図を印刷することができる。これにより、被案内者は、道案内を依頼することなく、次の目的地へ到達することができる。
【００８２】
なお、目的地選択画面３０２（図１７参照）を表示するとき、対象目的地として既に選択された目的地（目的地１とする）を確定操作の操作対象として示さなくてもよい。たとえば、目的地１をグレーアウト表示してもよいし、非表示としてもよい。
【００８３】
このように構成する場合、地図生成装置１００は、対象複合機３００へ目的地情報を送信するとき、複数の目的地のうち対象目的地として既に選択された目的地を示す目的地情報に既選択情報を付加する。そして、対象複合機３００は、確定操作を受け付けるとき、既選択情報が付加された目的地情報で示される目的地については確定操作の対象として示さないようにする（グレーアウト表示したり、非表示にしたりする）。
【００８４】
また、確定操作（目的地選択画面３０２に対する操作）を行ったときに、確定操作の対象となった目的地へのルートを示す第１地図が対象複合機３００（複合機操作部３２０）に表示されるよう構成してもよい。このように構成すれば、第１地図を印刷する前に、ルートの確認を行うことができる。
【００８５】
また、第１地図が対象複合機３００に表示される構成において、図１８に示すように、第１地図の表示中に予め定められた切替操作を行ったときに、現在表示中の第１地図で示されるルートＡ１とは異なるルートＡ２を示す第１地図が表示されてもよい。このように構成する場合には、地図生成装置１００において、示すルートが互いに異なる複数の第１地図の地図データが生成される。そして、地図生成装置１００から対象複合機３００に対して、複数の第１地図の地図データが送信される。なお、この構成において、現在表示中の第１地図で示されるルートの長さ（目的地までの距離）が示されてもよい。
【００８６】
また、第１地図で示すルートを通信端末２００で設定し、当該設定したルートを目的地情報と共に通信端末２００から地図生成装置１００へ送信してもよい。この場合には、通信端末２００で設定したルートを示す第１地図の地図データが地図生成装置１００にて生成される。すなわち、通信端末２００で設定したルートを示す第１地図が対象複合機３００から印刷出力される。
【００８７】
通信端末２００でのルートの設定方法は特に限定されない。一例として、携帯端末２００に入力された音声を認識し、入力音声に従って地図上の対象が仮想的に移動するアプリケーションが携帯端末２００にインストールされていれば、当該アプリケーションを用いてルートを設定することができる。たとえば、地図上の対象を音声入力によって目的地まで移動させると、地図上の対象が移動したルートを第１地図で示すルートとして設定することができる。
【００８８】
また、道案内システムＳに含まれる複数の複合機３００のいずれかに地図印刷操作を行うと、アクセスＩＤを入力していなくても、対象複合機３００に目的地選択画面３０２が表示されてもよい。この場合には、たとえば、地図生成装置１００に保存された全ての目的地情報が対象複合機３００へ送信され、当該全ての目的地情報で示される目的地の一覧が表示される。このように構成すれば、アクセスＩＤを覚える必要がなくなる（アクセスＩＤを生成しなくてもよい）。
【００８９】
本実施形態の道案内システムＳは、上記のように、地図生成装置１００と、通信端末２００と、複数の複合機３００とを備える。通信端末２００は、目的地の入力を受け付け、目的地を示す目的地情報を地図生成装置１００へ送信する。複数の複合機３００のうち目的地へ至るルートを示す地図を印刷するための予め定められた地図印刷操作が行われた対象複合機３００は、目的地情報を地図生成装置１００から取得することによって目的地情報で示される目的地を認識するとともに、目的地情報で示される目的地をルート検索の対象目的地として確定するための予め定められた確定操作の受け付けを行い、対象目的地が確定すると、対象目的地を示す対象目的地情報および対象複合機３００の設置位置を示す設置位置情報を地図生成装置１００へ送信する。地図生成装置１００は、対象目的地情報および設置位置情報を受信すると、対象複合機３００の設置位置から対象目的地へ至るルートを示す第１地図の地図データを生成するとともに、第１地図の地図データを対象複合機３００へ送信する。対象複合機３００は、第１地図の地図データを受信すると、第１地図を印刷する。また、通信端末２００は、目的地情報を地図生成装置１００へ送信するとき、通信端末２００の現在地を示す現在地情報を地図生成装置１００へ送信する。地図生成装置１００は、現在地情報を受信すると、通信端末２００の現在地から、複数の複合機３００のうち通信端末２００の現在地から予め定められた距離範囲内の位置に設置された複合機３００の設置位置へ至るルートを示す第２地図の地図データを生成するとともに、第２地図の地図データを通信端末２００へ送信する。通信端末２００は、第２地図の地図データを受信すると、第２地図を表示する。
【００９０】
本実施形態の構成では、通信端末２００に目的地を入力すれば、道案内システムＳに含まれる複合機３００（対象複合機３００）に第１地図を印刷させることが可能となる。このため、道案内の依頼を受けたときには、被案内者が所望する目的地を通信端末２００に入力してから、道案内システムＳに含まれる複合機３００の設置施設まで被案内者を案内し、その施設で第１地図を印刷するよう被案内者に促すだけでよくなる（案内者は被案内者を所望の目的地まで案内しなくてもよくなる）。また、通信端末２００に目的地を入力すると、通信端末２００に第２地図が表示されるので、複合機３００の設置施設の場所を案内者が分かっていなくても、他者に道を尋ねるなどすることなく、案内者は被案内者を複合機３００の設置施設まで案内することができる。これらの結果、道案内の手間を省くことができる。
【００９１】
また、本実施形態では、上記のように、地図生成装置１００は、通信端末２００からアクセスを受けるとアクセスＩＤを生成する。そして、地図生成装置１００は、通信端末２００から目的地情報を受信すると、その目的地情報をアクセスＩＤと対応付けて記憶するとともに、アクセスＩＤを通信端末２００に通知する。また、対象複合機３００は、確定操作の受け付けに際して、アクセスＩＤの入力を受け付け、入力を受け付けたアクセスＩＤに対応する目的地情報を地図生成装置１００から取得し、取得した目的地情報で示される目的地を確定操作の対象として示す。このように構成すれば、他者が入力した目的地は確定操作の操作対象として示されないので、容易かつ速やかに、所望の目的地を見つけることができる。仮に、アクセスＩＤを用いない構成にすると、他者が入力した目的地も確定操作の操作対象として示される（地図生成装置１００に保存された全ての目的地情報に対応する目的地が確定操作の操作対象として示される）。この場合には、所望の目的地を見つけ難くなるという不都合が生じる。
【００９２】
また、本実施形態では、上記のように、通信端末２００は、目的地情報を地図生成装置１００へ送信した後、目的地を追加するか否かを受け付け、目的地が追加されると、追加された目的地を示す目的地情報を地図生成装置１００へ送信する。対象複合機３００は、目的地が複数存在するとき（目的地が追加されたとき）、複数の目的地のうちから対象目的地を１つ選択する操作を確定操作として受け付ける。そして、地図生成装置１００は、対象目的地となり得る目的地が複数存在するとき（目的地が追加されたとき）、第１地図の地図データとして、対象複合機３００の設置位置から、対象目的地を経由して、道案内システムＳに含まれる複数の複合機３００のうち対象目的地から予め定められた距離範囲内の位置に設置された複合機３００へ至るルートを示す地図（図１６参照）の地図データを生成する。このように構成すれば、次の目的地へ至るルートを示す第１地図を印刷するのに際して、他者に道を尋ねなくても、第１地図の印刷が可能な複合機３００の設置施設へ到達することができる。そして、当該施設にて次の目的地へ至るルートを示す第１地図を印刷すれば、他者に道を尋ねなくても、次の目的地へ到達することができる。言い換えると、被案内者が所望する目的地が複数存在する場合であっても、複合機３００の設置施設へ１度案内するだけで、被案内者を複数の目的地へ到達させることができる。
【００９３】
また、本実施形態では、上記のように、地図生成装置１００は、複数の目的地のうち対象目的地として既に選択された目的地を示す目的地情報に既選択情報を付加し、対象複合機３００は、確定操作を受け付けるとき、既選択情報が付加された目的地情報で示される目的地については確定操作の対象として示さない。このように構成すれば、訪問済みの目的地へのルートを示す第１地図を誤って印刷してしまう、という不都合が発生するのを抑制することができる。
【００９４】
また、本実施形態では、上記のように、対象複合機３００は、確定操作を受け付けるとき、第１地図を表示するとともに、予め定められた切替操作を受け付けると、現在表示中の第１地図で示されるルートとは異なるルートが示された第１地図を表示する。このように構成すれば、第１地図の印刷前に目的地へのルートを確認することができるので、利便性がよい。
【００９５】
また、本実施形態では、上記のように、地図生成装置１００は、第２地図の地図データとして、通信端末２００の現在地から、予め定められた距離範囲内の位置に設置された複合機３００のうち通信端末２００の現在地から最も近い位置に設置された複合機３００の設置位置へ至るルートを示す地図の地図データを生成する。このように構成すれば、被案内者を速やかに複合機３００の設置施設へ連れて行くことができる（道案内に要する時間が短くなる）。
【００９６】
また、本実施形態では、上記のように、地図生成装置１００は、目的地情報を受信すると、目的地情報で示される目的地の周辺地図の地図データを生成するとともに、周辺地図の地図データを通信端末２００へ送信する。通信端末２００は、周辺地図の地図データを受信すると、周辺地図を表示し、周辺地図で示される目的地をルート検索の対象として設定するか否かを受け付ける。このように構成すれば、目的地を地図上で確認することができるので、意図しない目的地がルート検索の対象として設定されるのを抑制することができる。
【００９７】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９８】
１００  地図生成装置
２００  通信端末
３００  複合機（画像形成装置）
Ｓ  道案内システム
【図１】
0006504035.tif 000002
【図２】
0006504035.tif 000003
【図３】
0006504035.tif 000004
【図４】
0006504035.tif 000005
【図５】
0006504035.tif 000006
【図６】
0006504035.tif 000007
【図７】
0006504035.tif 000008
【図８】
0006504035.tif 000009
【図９】
0006504035.tif 000010
【図１０】
0006504035.tif 000011
【図１１】
0006504035.tif 000012
【図１２】
0006504035.tif 000013
【図１３】
0006504035.tif 000014
【図１４】
0006504035.tif 000015
【図１５】
0006504035.tif 000016
【図１６】
0006504035.tif 000017
【図１７】
0006504035.tif 000018
【図１８】
0006504035.tif 000019